(57)【要約】【課題】  一般的には番組情報は固定日数分のデータを取得することとしていたため、それ以上、先の番組が分からなかった。【解決手段】  ステップ１にて番組情報を抽出するチャンネルを選択し（チャンネル選択手段）、ステップ３にて選択されたチャンネルの数を得（チャンネル数取得手段）、ステップ４にて上記番組情報記憶メモリの容量を上記取得したチャンネル数に対応して各チャンネルに割り当て（容量割当手段）、ステップ５にて上記番組情報記憶メモリに対して割り当てられた容量の範囲で上記選択されたチャンネルの番組情報を記憶させる（番組情報記憶制御手段）。【選択図】  図２
2011109168.tif 000002
【特許請求の範囲】
【請求項１】
各チャンネル毎に放送波を受信して、放送波の中から番組情報を抽出する番組情報抽出手段と、上記抽出された番組情報を記憶する番組情報記憶メモリとを有する番組情報取得装置であって、
番組情報を抽出するチャンネルを選択するチャンネル選択手段と、
選択されたチャンネルの数を得るチャンネル数取得手段と、
上記番組情報記憶メモリの容量を上記取得したチャンネル数に対応して各チャンネルに割り当てる容量割当手段と、
上記番組情報記憶メモリに対して割り当てられた容量の範囲で上記選択されたチャンネルの番組情報を記憶させる番組情報記憶制御手段を具備することを特徴とする番組情報取得装置。
【請求項２】
上記番組情報記憶制御手段は、選択されたチャンネルのそれぞれに、一のチャンネルについて上記容量の範囲で記憶可能な番組情報の全日程分を記憶させた後、次のチャンネルへと順次チャンネルを変えていって記憶させることを特徴とする請求項１に記載の番組情報取得装置。
【請求項３】
上記番組情報記憶制御手段は、選択されたチャンネルのそれぞれに、一日目のチャンネルの番組情報を全チャンネルにわたって記憶させた後、次の日付へと順次日付を増やしていって記憶させることを特徴とする請求項１に記載の番組情報取得装置。
【請求項４】
上記番組情報記憶制御手段は、メモリに未使用分の領域があれば、上記選択されなかったチャンネルの番組情報を記憶させることを特徴とする請求項１〜請求項３に記載の番組情報取得装置。
【請求項５】
放送波を受信するチューナと、各チャンネル毎に放送波を受信して、放送波の中から番組情報を抽出する番組情報抽出手段と、上記抽出された番組情報を記憶する番組情報記憶メモリと、動画の記録および再生が可能なハードディスクドライブと、同じく動画の記録および再生が可能なＤＶＤドライブと、上記チューナと上記番組情報抽出手段と上記番組情報記憶メモリと上記ハードディスクドライブと上記ＤＶＤドライブとを制御する制御手段とを有するテレビ放送用記録再生装置であって、
番組情報を抽出するチャンネルを選択するチャンネル選択手段と、
選択されたチャンネルの数を得るチャンネル数取得手段と、
上記番組情報記憶メモリの容量を上記取得したチャンネル数に対応して各チャンネルに割り当てる容量割当手段と、
上記番組情報記憶メモリに対して割り当てられた容量の範囲で上記選択されたチャンネルの番組情報を記憶させる番組情報記憶制御手段を具備し、
上記番組情報記憶制御手段は、選択されたチャンネルのそれぞれに、一日目のチャンネルの番組情報を全チャンネルにわたって記憶させた後、次の日付へと順次日付を増やしていって記憶させるとともに、
メモリに未使用分の領域があれば、上記選択されなかったチャンネルの番組情報を記憶させることを特徴とするテレビ放送用記録再生装置。
【発明の詳細な説明】
【技術分野】
【０００１】
本発明は、番組情報取得装置およびテレビ放送用記録再生装置に関し、特に、付加的な情報である番組情報を表示する受信機回路である番組情報取得装置およびテレビ放送用記録再生装置に関する。
【背景技術】
【０００２】
特許文献１には、番組情報取得範囲設定部（１０６）が、表示に必要なチャンネルおよび時間帯の範囲を設定すると、取得条件設定部（１０３）は当該範囲に対応する複数番組情報テーブルそれぞれを特定するフィルタ条件を受信部（１０４）に同時に複数設定し、受信部（１０４）は、番組情報を含み繰り返し送信されてくる複数の番組情報テーブルのうちフィルタ条件に合致するものを受信し次第、番組情報記録部（１０５）に記録する番組情報取得装置の構成が開示されている。
【０００３】
特許文献２には、チャンネル選択指令に応じたデジタル放送を選択的に受信する放送電波受信処理回路（１１）によって選択された番組を特定するＥＰＧデータに基づいて、視聴頻度の順位を分析し、分析された順位が所定順位以上の高いＥＰＧデータをＥＰＧ１用メモリ（１６）に記憶し、ＥＰＧデータに基づく番組選択の指令が入力されたときは、その指令にかかるＥＰＧデータの順位が所定順位以上の場合は、ＥＰＧ１用メモリ（１６）を検索して、検索結果のＥＰＧデータに基づくチャンネル選択指令を放送電波受信処理回路（１１）に与える放送受信装置の構成が開示されている。
【先行技術文献】
【特許文献】
【０００４】
【特許文献１】特開２０００−２７０２９５号公報
【特許文献２】特開２００７−３１８４７８号公報
【発明の概要】
【発明が解決しようとする課題】
【０００５】
上述した特許文献に示す技術では、メモリの容量に応じて番組情報を取捨選択することができなかった。
また、一般的には番組情報は固定日数分のデータを取得することとしていたため、それ以上、先の番組が分からなかった。
本発明は、デジタルＥＰＧの情報を格納するメモリが十分に確保できない場合でも、欲しい情報に限定することで欲しい情報をより多く得られるようにする。
【課題を解決するための手段】
【０００６】
本発明は、各チャンネル毎に放送波を受信して、放送波の中から番組情報を抽出する番組情報抽出手段と、上記抽出された番組情報を記憶する番組情報記憶メモリとを有する番組情報取得装置であって、番組情報を抽出するチャンネルを選択するチャンネル選択手段と、選択されたチャンネルの数を得るチャンネル数取得手段と、上記番組情報記憶メモリの容量を上記取得したチャンネル数に対応して各チャンネルに割り当てる容量割当手段と、上記番組情報記憶メモリに対して割り当てられた容量の範囲で上記選択されたチャンネルの番組情報を記憶させる番組情報記憶制御手段を具備する構成としてある。
【０００７】
かかる構成において、番組情報抽出手段が、各チャンネル毎に放送波を受信して、放送波の中から番組情報を抽出すると、番組情報記憶メモリは上記抽出された番組情報を記憶する。一方、チャンネル選択手段によって番組情報を抽出するチャンネルを選択すると、チャンネル数取得手段が選択されたチャンネルの数を得るとともに、容量割当手段が上記番組情報記憶メモリの容量を上記取得したチャンネル数に対応して各チャンネルに割り当てるので、番組情報記憶制御手段は上記番組情報記憶メモリに対して割り当てられた容量の範囲で上記選択されたチャンネルの番組情報を記憶させる。
これにより、全チャンネルにメモリを均等に割り当てる場合に比べ、記憶する日数を増やすことができる。
【０００８】
また、上記番組情報記憶制御手段は、選択されたチャンネルのそれぞれに、一のチャンネルについて上記容量の範囲で記憶可能な番組情報の全日程分を記憶させた後、次のチャンネルへと順次チャンネルを変えていって記憶させるように構成しても良い。
すなわち、一つのチャンネルについて記憶可能な番組情報の全日程分を記憶させ、次のチャンネルへと変更していく。これにより、チャンネルの変更の回数は選択されたチャンネルの数だけとなる。
【０００９】
一方、上記番組情報記憶制御手段は、選択されたチャンネルのそれぞれに、一日目のチャンネルの番組情報を全チャンネルにわたって記憶させた後、次の日付へと順次日付を増やしていって記憶させるように構成しても良い。
すなわち、全チャンネルについて一日分の番組情報を記憶させた後、次の日付へと進んでいく。これにより、全チャンネルについて日数の観点でできるだけ均等に番組情報を取得できる。
その他、上記番組情報記憶制御手段は、メモリに未使用分の領域があれば、上記選択されなかったチャンネルの番組情報を記憶させるように構成しても良い。
未使用の領域があれば、他の番組情報も記憶するので、選択されなかったチャンネルの番組情報を全く見れなくなることは防止できる。
【００１０】
この他、放送波を受信するチューナと、各チャンネル毎に放送波を受信して、放送波の中から番組情報を抽出する番組情報抽出手段と、上記抽出された番組情報を記憶する番組情報記憶メモリと、動画の記録および再生が可能なハードディスクドライブと、同じく動画の記録および再生が可能なＤＶＤドライブと、上記チューナと上記番組情報抽出手段と上記番組情報記憶メモリと上記ハードディスクドライブと上記ＤＶＤドライブとを制御する制御手段とを有するテレビ放送用記録再生装置であって、番組情報を抽出するチャンネルを選択するチャンネル選択手段と、選択されたチャンネルの数を得るチャンネル数取得手段と、上記番組情報記憶メモリの容量を上記取得したチャンネル数に対応して各チャンネルに割り当てる容量割当手段と、上記番組情報記憶メモリに対して割り当てられた容量の範囲で上記選択されたチャンネルの番組情報を記憶させる番組情報記憶制御手段を具備し、上記番組情報記憶制御手段は、選択されたチャンネルのそれぞれに、一日目のチャンネルの番組情報を全チャンネルにわたって記憶させた後、次の日付へと順次日付を増やしていって記憶させるとともに、メモリに未使用分の領域があれば、上記選択されなかったチャンネルの番組情報を記憶させる構成としても良い。
【発明の効果】
【００１１】
本発明によれば、メモリが少ない場合であっても、ユーザが求めるチャンネルの情報をより多く取得することができる。特に、非常に稀にしか予約などをしないチャンネルの番組情報は殆ど無駄にメモリを消費していたが、そのような使用を止め、メモリを効率的に使用できる。
【図面の簡単な説明】
【００１２】
【図１】本発明を適用したテレビ放送用記録再生装置の概略ブロック図である。
【図２】テレビ放送用記録再生装置における番組情報取得処理のフローチャートである。
【図３】チャンネルの数と記録可能な番組情報の日数を示す図である。
【図４】番組情報の取り方のパターンを示す図である。
【図５】番組情報の取り方のパターンを示す図である。
【図６】番組情報の取り方のパターンを示す図である。
【発明を実施するための形態】
【００１３】
以下、添付図面にもとづいて本発明の実施形態を説明する。
図１は、本発明の番組情報取得装置が搭載されるテレビ放送用記録再生装置のブロック図である。
同図において、チューナ１０は放送波を受信する受信回路であり、本実施形態では地上波デジタル放送、地上波アナログ放送を受信可能である。チューナ１０は制御回路１１からの制御に従って、放送波の種類および受信するチャンネルを指定される。放送波の種類およびチャンネルが指定されると、チューナ１０は同チャンネルの放送信号を受信し、映像信号および音声信号を出力する。これらの映像音声信号は、外部のテレビジョンに出力され、また、後述する記録ユニットにて記録されることになる。
【００１４】
また、放送信号には番組情報（ＥＰＧ）のデータが含まれており、受信された放送信号に基づいてＥＰＧデータ取得回路１２が番組情報を抽出する。番組情報は各チャンネル毎に独立して送信されており、また、番組の中身の情報に加えて日時の情報が含まれている。ＥＰＧデータ取得回路１２は制御回路１１からの制御信号に基づいて放送信号から番組情報を抽出すると、同番組情報を制御回路１１に出力する。制御回路１１は、予めチューナ１０に対して受信すべき放送波の種類とチャンネルを指定しており、この番組情報が何チャンネルの番組に相当するか判別可能である。また、必要に応じて日時の情報に基づいて番組の情報の取捨選択を行なう。
この意味で、ＥＰＧデータ取得回路１２は、各チャンネル毎に放送波を受信して、放送波の中から番組情報を抽出する番組情報抽出手段に相当する。
【００１５】
制御回路１１が記録すべきものと判断した番組情報はフラッシュメモリ１３に記録される。フラッシュメモリ１３は番組情報のみならず、チャンネルの情報、録画予約の情報など、種々の情報の記録に利用されている。なお、記憶容量は有限であり、番組情報についても全てのチャンネルで全日程分（７日分）を記録するだけの容量は不足している。なお、フラッシュメモリ１３は、抽出された番組情報を記憶する番組情報記憶メモリに相当する。
【００１６】
一方、番組の録画や再生に利用される記録ユニットとしてハードディスクドライブ１４と、ＤＶＤドライブ１５が備えられており、制御回路１１はユーザーの操作および録画予約情報などに基づいて、これらの記録ユニットに対する録画および再生を制御している。この意味で、ハードディスクドライブ１４は動画の記録および再生が可能なハードディスクドライブに相当し、ＤＶＤドライブ１５は同じく動画の記録および再生が可能なＤＶＤドライブに相当する。
【００１７】
また、制御回路１１は、チューナ１０、ＥＰＧデータ取得回路１２、フラッシュメモリ１３、ハードディスクドライブ１４、ＤＶＤドライブ１５などを制御しており、上記チューナと上記番組情報抽出手段と上記番組情報記憶メモリと上記ハードディスクドライブと上記ＤＶＤドライブとを制御する制御手段に相当する。
制御回路１１は、図示しないリモコンや操作パネルからの操作入力を取得可能であり、また、外部のテレビジョンなどの表示面に所定の表示を行って、ユーザへの操作入力を促すことが可能となっている。さらに、制御回路１１はプログラムに従って所定の処理を実行可能である。
【００１８】
図２は、テレビ放送用記録再生装置における番組情報取得処理のフローチャートである。制御回路１１は、同フローチャートに従って番組情報取得処理を実行する。
まず、前提として、受信可能なチャンネルは１０チャンネルあるものとし、各チャンネルの番組情報を全てフラッシュメモリ１３に記録しようとすると、図３のごとく、各チャンネル毎に３日分しか記録できないものとする。一方、ユーザーが視聴あるいは録画するチャンネルには偏りがあり、普段は主に４つのチャンネルしか視聴していないものとする。
【００１９】
制御回路１１は、ステップ１にてお好みチャンネルの設定の処理を行う。この処理では、ユーザーが主に視聴したり録画するチャンネルの番組情報をできるだけ多く記録できるようにするため、優先的に番組情報を記録するチャンネルをお好みチャンネルとして設定する。この例では、チャンネル１とチャンネル５とチャンネル６とチャンネル９をお好みチャンネルとして登録することにする。
ユーザーが登録の操作を実行している間は、ステップ２でステップ１の処理を繰り返させる。しかし、登録の操作を完了して設定が終了すると、ステップ２の判断を経て制御回路１１はステップ３にてチャンネル数をカウントする。この例では設定したチャンネルの数は４つである。続いて、ステップ４では、制御回路は４つのチャンネルの番組情報をできるだけ多く記録すべく、メモリの容量をチャンネル数に応じて割り当てる。フラッシュメモリ１３のメモリ容量に応じてチャンネル数で割れば各チャンネルあたりの容量が算出され、かかる容量を割り当てることになる。以上より、ステップ１は番組情報を抽出するチャンネルを選択するチャンネル選択手段に相当し、ステップ３は選択されたチャンネルの数を得るチャンネル数取得手段に相当し、ステップ４は上記番組情報記憶メモリの容量を上記取得したチャンネル数に対応して各チャンネルに割り当てる容量割当手段に相当する。
【００２０】
ステップ５では、制御回路１１は番組情報を取得させ、記録させる。ここで、記録する方法として、本実施形態では以下の３つのパターンを提供できるようにしている。
・パターン１：各チャンネル毎に全日程の番組情報を取得してから、次のチャンネルへ移行する。
・パターン２：全チャンネルに一日分の番組情報を取得してから、次の日程へ移行する。
・パターン３：選択したチャンネルについて全日程の番組情報を記録した後で、なお、残りの容量があるときに、選択していないチャンネルの番組情報を一日ごとに取得していく。
【００２１】
図４〜図６は、各パターンの番組情報の取り方を示しており、図４はパターン１の番組情報取得方法を、図５はパターン２の番組情報取得方法を、図６はパターン３の番組情報取得方法を示している。なお、各図は、取得していく番組情報の順番を示すものである。
パターン１について図４を参照すると、まず、チャンネル１について１日目から７日目までの番組情報を順次（１番〜７番）取得していく。次に、チャンネル５について１日目から７日目までの番組情報を順次（８番〜１４番）取得していく。
【００２２】
同様に、チャンネル６について１日目から７日目までの番組情報を順次（１５番〜２１番）取得し、チャンネル９について１日目から７日目までの番組情報を順次（２２番〜２８番）取得していく。
これを実現するには、制御回路１１は、まず、チューナ１０に対してチャンネル１を選択させ（チャンネル選択）、ＥＰＧデータ取得回路１２に対して番組情報を取得させる。ＥＰＧデータ取得回路１２から番組情報が次々に出力されてくると、制御回路１１は日時に相当する情報に基づいて１日目〜７日目のものを次々にフラッシュメモリ１３に記録させていく。ただし、予め割り当てられた容量の制限を守り（指定メモリへ記録）、同容量を超えない範囲で最も近い日付の番組情報を優先して記録していく（指定日の番組情報取得）。従って、全日程を待たずして容量の制限を超えたら、記録はその時点で中断する。その反面、全日程を終えれば、容量が残っていてもよい。
【００２３】
次に、制御回路１１は再度チャンネル選択を実行し、残っているチャンネルをチューナ１０に選択させ、上述したようにＥＰＧデータ取得回路１２から得られる番組情報をフラッシュメモリ１３に記録させていく。この処理を残りのチャンネルがある限り繰り返す。
このようにすれば、予め各チャンネル毎にメモリ容量を割り当てているから、選択されたチャンネルの番組情報をできるだけ多くフラッシュメモリ１３に記録していくことができる。また、この方法ではチャンネルを変更する回数が少ない。チャンネルを変え、番組情報が受信されるのを待機するには時間がかかるので、チャンネルを変更する回数の少ないこの方法は、番組情報取得に要する時間をできるだけ短くすることができる。
このように、パターン１は、選択されたチャンネルのそれぞれに、一のチャンネルについて上記容量の範囲で記憶可能な番組情報の全日程分を記憶させた後、次のチャンネルへと順次チャンネルを変えていって記憶させるものである。
【００２４】
次に、パターン２について図５を参照すると、まず、選択した全チャンネルについて１日目の番組情報を順次（１番〜４番）取得していく。次に、全チャンネルについて２日目の番組情報を順次（５番〜８番）取得していく。同様にして、全チャンネルについて３日目（９番〜１２番）、４日目（１３番〜１６番）、５日目（１７番〜２０番）、６日目（２１番〜２４番）、７日目（２４番〜２８番）までの番組情報を順次取得していく。
【００２５】
これを実現するには、制御回路１１は、まず、チューナ１０に対してチャンネル１を選択させ（チャンネル選択）、ＥＰＧデータ取得回路１２に対して番組情報を取得させる。ＥＰＧデータ取得回路１２から番組情報が次々に出力されてくると、制御回路１１は日時に相当する情報に基づいて１日目のもの（指定日の番組情報取得）をフラッシュメモリ１３に記録させる（指定メモリへ記録）。
チャンネル１についての１日目の番組情報を取得できたら、続いて、チューナ１０にチャンネル５を選択させ（チャンネル選択）、ＥＰＧデータ取得回路１２に対して番組情報を取得させる。そして、ＥＰＧデータ取得回路１２から番組情報のうち、制御回路１１は日時に相当する情報に基づいて１日目のものをフラッシュメモリ１３に記録させる。
【００２６】
これを繰り返して全チャンネルの１日目の番組情報を取得したら、制御回路１１はチャンネルを順次変更してチューナ１０に受信させながら、ＥＰＧデータ取得回路１２から出力される番組情報の中で２日目のものをフラッシュメモリ１３に記録させる。以後、３日目、４日目というように徐々に先の日付けの番組情報を記録していく。
そして、各チャンネル毎に予め割り当てられた容量の制限を守り、同容量を超えない範囲で最も多くの日付の番組情報が記録されるように、日付の指定を先延ばししていく。むろん、全日程を待たずして容量の制限を超えたら、記録はその時点で中断する。その反面、全日程を終えれば、容量が残っていてもよい。
【００２７】
このように、パターン２は、選択されたチャンネルのそれぞれに、一日目のチャンネルの番組情報を全チャンネルにわたって記憶させた後、次の日付へと順次日付を増やしていって記憶させるものである。
また、制御回路１１によるステップ５の処理の実行が、上記番組情報記憶メモリに対して割り当てられた容量の範囲で上記選択されたチャンネルの番組情報を記憶させる番組情報記憶制御手段に相当する。
メモリ容量に応じてステップ５の処理が終了したら、ステップ６では制御回路１１はフラッシュメモリ１３にメモリ残量があるか否かを判断し、残量があればステップ７にて残容量分の番組情報を取得する。
【００２８】
ここで図３を参照すると、上述したような処理を実行することで、１０チャンネルの全てについて３日分の番組情報を記録できたフラッシュメモリ１３には、４チャンネルに限ることによって７日分の番組情報を同じ要領のフラッシュメモリ１３に記録できることになった。
これを単純計算すると、１０チャンネル×３日分＝３０ユニット（チャンネル×日数）分のメモリに、４チャンネル×７日＝２８ユニットの番組情報を記録したので、２ユニット分の残容量が期待できる。
【００２９】
パターン３に対応する図６を参照すると、制御回路１１は主としてパターン２と同様にして日付を１日目に設定して、先ほど選択されなかったチャンネルを順次選択しながらＥＰＧデータ取得回路１２から得られる番組情報をフラッシュメモリ１３に記録していく。すなわち、選択されるチャンネルは、チャンネル２、チャンネル３、チャンネル４、チャンネル７、チャンネル８、チャンネル１０と変化していくが、メモリ残量がある間だけ番組情報の取得を繰り返す。また、メモリ残量がさらにあれば、２日目、３日目と日付も進めていく。
このようにして、メモリに未使用分の領域があれば、上記選択されなかったチャンネルの番組情報を記憶させていく。
【００３０】
このように、ステップ１にて番組情報を抽出するチャンネルを選択し（チャンネル選択手段）、ステップ３にて選択されたチャンネルの数を得（チャンネル数取得手段）、ステップ４にて上記番組情報記憶メモリの容量を上記取得したチャンネル数に対応して各チャンネルに割り当て（容量割当手段）、ステップ５にて上記番組情報記憶メモリに対して割り当てられた容量の範囲で上記選択されたチャンネルの番組情報を記憶させる（番組情報記憶制御手段）。
【００３１】
そして、本実施形態によれば、メモリされている全てのチャンネルのＥＰＧデータを取得しようとすると、存在するデータを全て格納するだけのメモリ領域がない場合、ＥＰＧデータを取得するチャンネルを限定することで、お好みのチャンネルのＥＰＧデータをより多く取得することができる。
例）１０チャンネルで３日分のＥＰＧデータを取れる場合、ユーザが頻繁に視聴・録画予約するチャンネルを４つ選択すると、４チャンネルで７日分のＥＰＧデータが取得可能となる。
【００３２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００３３】
１０…チューナ、１１…制御回路、１２…ＥＰＧデータ取得回路、１３…フラッシュメモリ、１４…ハードディスクドライブ、１５…ＤＶＤドライブ。
【図１】
2011109168.tif 000003
【図２】
2011109168.tif 000004
【図３】
2011109168.tif 000005
【図４】
2011109168.tif 000006
【図５】
2011109168.tif 000007
【図６】
2011109168.tif 000008